(57)【要約】      （修正有）【課題】内部に入っている物が見える大きさの開口部をメッシュ状に設けたポケットを有する食品工場等で働く者が着る作業衣を提供する。【解決手段】作業衣は、化学繊維からなり、内部の物が見える大きさの開口部をメッシュ状に設けたポケットを有し、持ち込みが禁止された物をポケットに入れて作業場に持ち込まないようにするためのものである。作業場の管理者は、持ち込み禁止の物が前記ポケットに入っていても、メッシュ状に開けられた開口部から内部が見えるため、作業者がポケットに入れているものをチェックすることができる。【選択図】図１
0003118037.tif 000002
【実用新案登録請求の範囲】
【請求項１】
化学繊維からなり、内部の物が見える大きさの開口部をメッシュ状に設けたポケットを有することを特徴とする作業衣。
【請求項２】
コイルファスナにより入り口を開閉可能にできるとともに、化学繊維からなり、内部の物が見える大きさの開口部をメッシュ状に設けたポケットを有することを特徴とする作業衣。
【請求項３】
化学繊維を織って形成された細孔により半透明となって、内部の物が見えるようにしたポケットを有することを特徴とする作業衣。
【請求項４】
前記化学繊維の開口または細孔は、縦方向および／または横方向から引いても形状が変わらないことを特徴とする請求項１から請求項３のいずれか１項に記載された作業衣。
【請求項５】
前記化学繊維は、糸くずがでないものであることを特徴とする請求項１から請求項４のいずれか１項に記載された作業衣。
【請求項６】
前記作業衣は、クリーンルームで使用するものであることを特徴とする請求項１から請求項５のいずれか１項に記載された作業衣。
【考案の詳細な説明】
【技術分野】
【０００１】
本考案は、内部に入っている物が見える大きさの開口部をメッシュ状に設けたポケットを有する食品工場等で働く者が着る作業衣に関するものである。
【背景技術】
【０００２】
たとえば、前記食品工場で働く者は、作業衣のポケットに入れて作業場内に持ち物を持ち込むことが禁止されている。前記禁止の理由は、作業衣のポケットに入っている物、あるいは、付着した物が落下して食品内に入る恐れがあるためである。しかし、作業者は、飴玉、ガム、薬の錠剤、ティシュペーパー等をポケットに入れて、作業場に入る場合がしばしばある。そのため、作業衣には、ポケットを設けないものが多くなっている。
【０００３】
前記作業衣は、ポケットをメッシュにしたものが従来からなかった。しかし、可搬性を有するソフトデリバリバックは、たとえば、特開平１０−３５７４６号公報に記載されているようにメッシュポケットを持ったものがある。前記ソフトデリバリバックは、本考案の作業衣と解決しようとする課題、および効果の点で異なっている。
【特許文献１】特開平１０−３５７４６号公報
【考案の開示】
【考案が解決しようとする課題】
【０００４】
作業衣にポケットを設けた場合、作業者は、飴玉、ガム、ティシュペーパー等をポケットに入れることができ便利であるが、これらのものを作業場に持ち込むことが通常禁止されている。しかし、作業者の中には、手帳、キー、その他の物をポケットに入れておかねばならない者もいる。
【０００５】
以上の課題を解決するために、本考案は、作業衣にポケットを設けても、作業場に持ち込み禁止の物を発見することが容易であり、仕事上必要なもののみを持ち込むことができる作業衣を提供することを目的とする。本考案は、作業衣のポケットから糸屑やほこり等が出ず、ポケットの中身を直ぐに見ることができる作業衣を提供することを目的とする。
【課題を解決するための手段】
【０００６】
（第１考案）
第１考案の作業衣は、化学繊維からなり、内部の物が見える大きさの開口部をメッシュ状に設けたポケットを有することを特徴とする。
【０００７】
（第２考案）
第２考案の作業衣は、コイルファスナにより入り口を開閉可能にできるとともに、化学繊維からなり、内部の物が見える大きさの開口部をメッシュ状に設けたポケットを有することを特徴とする。
【０００８】
（第３考案）
第３考案の作業衣は、化学繊維を織って形成された細孔により半透明となって、内部の物が見えるようにしたポケットを有することを特徴とする。
【０００９】
（第４考案）
第４考案の作業衣は、第１考案から第３考案の化学繊維の開口または細孔が縦方向および／または横方向から引いても形状が変わらないことを特徴とする。
【００１０】
（第５考案）
第５考案の作業衣は、第１考案から第４考案の化学繊維が糸くずがでないものであることを特徴とする。
【００１１】
（第６考案）
第６考案の作業衣は、第１考案から第５考案における作業衣がクリーンルームで使用するものであることを特徴とする。
【考案の効果】
【００１２】
本考案によれば、作業衣のポケットにメッシュ状の開口を設けることにより、ポケット内に入っている物が良く見えるようにして、作業場に持ち込み禁止のものが持ち込まれないようにすることができる。
【００１３】
本考案によれば、作業衣のポケットに化学繊維を織って形成された細孔により半透明となって、ポケットの内部に入っている物が見えるようにしているため、作業場の管理者の目をごまかして、持ち込み禁止の物を作業場に持ち込まなくなる。
【００１４】
本考案によれば、化学繊維でできた開口または細孔を縦方向および／または横方向から引いても形状が変わらないようにしたため、作業中にポケットの開口または細孔から中の物が落下することがない。
【００１５】
本考案によれば、作業衣のポケットを化学繊維で、糸屑が出ず、チリやほこりの付き難い制電素材を使用することで、作業衣にポケットを設けても、設ける以前と同じ効果を奏する。
【００１６】
本考案によれば、作業衣のポケットには、コイルファスナにより、務歯が落ちこぼれるようなことがない。
【考案を実施するための最良の形態】
【００１７】
（第１考案）
第１考案の作業衣は、化学繊維からなり、内部の物が見える大きさの開口部をメッシュ状に設けたポケットを有し、持ち込みが禁止された物をポケットに入れて作業場に持ち込まないようにするためのものである。前記作業衣は、ポケットに入れられたものが作業中に落下して、作業物に混入しないように、作業場に持ち込みが禁止されているのが普通である。しかし、作業者によっては、手帳、鍵、飴玉、ガム、薬、その他のものを所持する必要がある。作業場の管理者は、前記のような物が前記ポケットに入っていても、メッシュ状に開けられた開口部から内部が見える。そのため、作業者は、作業中に混入され易いものをポケットに入れることがなくなる。前記開口部の大きさは、たとえば、１ｍｍから１０ｍｍ程度のものである。
【００１８】
（第２考案）
第２考案の作業衣は、作業中にポケット内の物が落下しないようにコイルファスナにより、入り口を開閉可能にできるようになっている。前記コイルファスナは、務歯が連続して成形されているため、務歯の一つが落下して、作業物の中に混入することがない。
【００１９】
（第３考案）
第３考案の作業衣のポケットは、化学繊維を織って形成された細孔により半透明な生地になっている。前記半透明な生地により作製されたポケットは、内部に入れられた物が外部から見えるようになっているため、作業者が禁止されている物をポケットに入れて作業場に入ることがない。
【００２０】
（第４考案）
第４考案の作業衣のポケットは、化学繊維が織られる際に、開口または細孔が成形される。前記開口または細孔は、前記化学繊維を縦方向および／または横方向から引かれても形状がほぼ変わらないようになっている。すなわち、前記作業衣のポケットは、何らかの力により一方または他方に引かれても、開口または細孔の大きさがほぼ変わることがなく、内部の物が前記ポケットから落下して、作業物の中に混入することがない。
【００２１】
（第５考案）
第５考案の作業衣に設けられたポケットの化学繊維は、作業衣と同様に、糸くずがでなく、かつ、チリやほこりが付き難いものからなり、ポケットに付いたチリやほこりが作業物に混入しないようにしている。前記作業衣およびポケットは、必要に応じて、制電素材により作製することにより、より効果を発揮することができる。
【００２２】
（第６考案）
第６考案の作業衣は、水産加工業、食品加工業、薬品製造業、化学製造業、半導体製造業、各種研究所等のように、極端にごみ、チリ、ほこり等の混入を嫌う場所で使用するものである。
【実施例１】
【００２３】
図１は本考案の一実施例で、作業衣の外観を説明するための図である。図１において、作業衣１１は、前身頃１１１が前開きファスナ１１２により着衣の際に開閉できるようになっている。前記作業衣１１は、上部にスタンドカラー１１３、腕を通す袖１１４および袖口１１５、および下部に裾１１６が設けられている。また、前記作業衣１１の前身頃１１１の一方にポケット１２が設けられている。前記ポケット１２は、上部において、開閉するポケットファスナ１２１が設けられている。前記ポケットファスナ１２１は、たとえば、コイルファスナからなり、務歯が連続して成形されているため、その一つだけが落下するようなことがない。
【００２４】
図２（イ）は本考案の作業衣におけるポケットの生地を説明するための図で、（ロ）は（イ）のＡ−Ａ断面図で、前記ポケットおよびその生地を説明するための図である。図２（イ）および（ロ）において、ポケット１２の生地は、化学繊維からなり、糸屑やほこり、チリ等が付き難くなっている。前記生地１２２は、織方により開口１２３に示すような形状になっている。前記開口１２３は、縦および／または横方向から力が加わった場合でも、形状をほぼ維持できるような織方からなる。
【００２５】
前記作業衣のポケット１２は、合成繊維をメッシュ織した際に、左右、上下方向から引っ張った場合、メッシュの大きさ、形状が大幅に異ならないような織方であれば、特に限定されない。本考案における作業衣のポケット１２は、内部が透明または半透明で見え、開口の形状が一方または他方から引っ張られた場合であっても、それほど形状が変わらないものであれば材質に限定されない。前記作業衣のポケット１２は、合成繊維を織って開口または細孔を成形または形成し、半透明な生地を使用することもできる。前記合成繊維の開口または細孔は、合成繊維を織っている最中に形状を成形する場合と、通常の縦糸および横糸により織る場合がある。
【産業上の利用可能性】
【００２６】
以上、本考案の実施例を詳述したが、本考案は、前記実施例に限定されるものではなく、実用新案登録請求の範囲に記載された事項を逸脱することがなければ、種々の設計変更を行うことが可能である。本実施例に記載されている化学繊維の材質は、チリやほこりの付き難いものであれば、周知または公知のものを使用することができる。本考案の作業衣のポケットに使用する合成繊維は、周知または公知の方法により作製できるものである。
【図面の簡単な説明】
【００２７】
【図１】本考案の一実施例で、作業衣の外観を説明するための図である。（実施例１）
【図２】（イ）は本考案の作業衣におけるポケットの生地を説明するための図で、（ロ）は（イ）のＡ−Ａ断面図で、前記ポケットおよびその生地を説明するための図である。
【符号の説明】
【００２８】
１１・・・作業衣
１１１・・・前身頃
１１２・・・前開きファスナ
１１３・・・スタンドカラー
１１４・・・袖
１１５・・・袖口
１１６・・・裾
１２・・・ポケット
１２１・・・ポケットファスナ
１２２・・・生地
１２３・・・開口
【図１】
0003118037.tif 000003
【図２】
0003118037.tif 000004